(57)【要約】【課題】光源が発する光の輝度を高輝度仕様と低輝度仕様とに切換可能なプロジェクタ装置を提供する。【解決手段】筐体内に光源が配置され、前記筐体の壁部に吸気孔及び排気孔が設けられ、前期吸気孔及び排気孔を通じて前記筐体内への空気の吸入又は前記筐体内の空気の筐体外への排気を行う第１の冷却ファンを備え、スクリーン上に画像を投影するプロジェクタ装置において、前記筐体内の吸気孔又は排気孔に連通する部位に着脱可能な第２の冷却ファンと、前記第２の冷却ファンの前記筐体への着脱状態を検出する検出手段と、前記検出手段の検出結果に応じて前記光源の発光輝度を切り換える切換制御手段と、を備える。【選択図】図４
2006119285.tif 000002
【特許請求の範囲】
【請求項１】
筐体内に光源が配置され、前記筐体の壁部に吸気孔及び排気孔が設けられ、前期吸気孔及び排気孔を通じて前記筐体内への空気の吸入又は前記筐体内の空気の筐体外への排気を行う第１の冷却ファンを備え、スクリーン上に画像を投影するプロジェクタ装置において、
前記筐体内の吸気孔又は排気孔に連通する部位に着脱可能な第２の冷却ファンと、
前記第２の冷却ファンの前記筐体への着脱状態を検出する検出手段と、
前記検出手段の検出結果に応じて前記光源の発光輝度を切り換える切換制御手段と、
を備えたことを特徴とするプロジェクタ装置。
【請求項２】
前記第１の冷却ファンは着脱可能に装着されており、当該第１の冷却ファンに代えて第２の冷却ファンを装着可能としたことを特徴とする請求項１に記載のプロジェクタ装置。
【請求項３】
前記切換制御手段は、前記第２の冷却ファンの装着が検出されたとき、前記光源の発光輝度を高くすることを特徴とする請求項１又は２に記載のプロジェクタ装置。
【請求項４】
前記第２の冷却ファンの風量は、前記第１の冷却ファンの風量より大なることを特徴とする請求項２に記載のプロジェクタ装置。
【発明の詳細な説明】
【技術分野】
【０００１】
本発明は、光源である放電灯と、前記放電灯から発生する熱を冷却するファン等を備え、スクリーン上に画像を投影表示するプロジェクタ装置に関する。
【背景技術】
【０００２】
近年、画像を用いたプレゼンテーションでは、スクリーン上に画像を投影するプロジェクタ装置が多く用いられている。このようなプロジェクタ装置では、光源等から発せられる熱はかなりの高温となるため熱の排気機構が必須であり、該排気機構から排気される排気風は高温となっている。従来、プロジェクタ装置等の電子機器の排気孔にファン機構を備えた装置を取り付けることにより、排気風に関する安全性を向上可能な装置が提案されている（例えば、特許文献１参照）。
【０００３】
ところで、上記プロジェクタ装置は、持ち運び可能な小型のプロジェクタ装置と、室内に固定的に設置して使用する比較的大型のプロジェクタ装置と、に大別することができる。前者のプロジェクタ装置では、小型化及び軽量化の観点から作られているため、熱源から発せられた熱の排気能力に限界があるため、プロジェクタ装置内に発生する熱を抑えるために光源の輝度を落とした低輝度仕様としていることがある。一方、後者のプロジェクタ装置では、筐体内で発生する熱を十分に冷却する機構が備えられることから、光源の輝度を高輝度仕様としていることが多い。これら二つのタイプのプロジェクタ装置は、用途や目的に応じて使い分けられている。
【特許文献１】特開平１１−８７９６３号公報
【発明の開示】
【発明が解決しようとする課題】
【０００４】
しかしながら、実際には小型のプロジェクタ装置を室内において固定的に使用する場合が多くある。その場合には高輝度仕様で使用することが望ましいが、小型プロジェクタ装置の熱排気能力の仕様上、高輝度仕様で発生するより熱の排気に対応できない可能性があり、光源の破損や装置自体の故障の原因となるため困難である。
【０００５】
また、特許文献１のファン機構を小型プロジェクタ装置の排気孔に取り付けることにより、熱排気効率を上昇させることが考えられるが、特許文献１の装置はファン機構により排気風と外気とを混合することで排気風の温度を低減させることを目的としているため適用することは困難である。また、熱排気効率を上昇させたとしても光源の輝度は予め定められているため高輝度仕様とすることはできない。
【０００６】
本発明の課題は、光源が発する光の輝度を高輝度仕様と低輝度仕様とに切換可能なプロジェクタ装置を提供することである。
【課題を解決するための手段】
【０００７】
上記課題を解決するために、請求項１に記載の発明は、
筐体内に光源が配置され、前記筐体の壁部に吸気孔及び排気孔が設けられ、前期吸気孔及び排気孔を通じて前記筐体内への空気の吸入又は前記筐体内の空気の筐体外への排気を行う第１の冷却ファンを備え、スクリーン上に画像を投影するプロジェクタ装置において、
前記筐体内の吸気孔又は排気孔に連結する部位に着脱可能な第２の冷却ファンと、
前記第２の冷却ファンの前記筐体への着脱状態を検出する検出手段と、
前記検出手段の検出結果に応じて前記光源の発光輝度を切り換える切換制御手段と、
を備えたことを特徴としている。
【０００８】
更に、請求項２に記載の発明は、請求項１に記載の発明において、
前記第１の冷却ファンは着脱可能に装着されており、当該第１の冷却ファンに代えて第２の冷却ファンを装着可能としたことを特徴としている。
【０００９】
更に、請求項３に記載の発明は、請求項１又は２に記載の発明において、
前記切換制御手段は、前記第２の冷却ファンの装着が検出されたとき、前記光源の発光輝度を高くすることを特徴としている。
【００１０】
更に、請求項４に記載の発明は、請求項２に記載の発明において、
前記第２の冷却ファンの風量は、前記第１の冷却ファンの風量より大なることを特徴としている。
【発明の効果】
【００１１】
請求項１に記載の発明によれば、筐体内に光源が配置され、前記筐体の壁部に吸気孔及び排気孔が設けられ、前期吸気孔及び排気孔を通じて前記筐体内への空気の吸入又は前記筐体内の空気の筐体外への排気を行う第１の冷却ファンを備え、スクリーン上に画像を投影するプロジェクタ装置において、前記筐体内の吸気孔又は排気孔に連結する部位に着脱可能な第２の冷却ファンと、前記第２の冷却ファンの前記筐体への着脱状態を検出する検出手段と、前記検出手段の検出結果に応じて前記光源の発光輝度を切り換える切換制御手段と、を備えている。このことにより、第２の冷却ファンの着脱に応じて光源の発光輝度を切り換えることができる。
【００１２】
請求項２に記載の発明によれば、第１の冷却ファンは着脱可能に装着されており、当該第１の冷却ファンに代えて第２の冷却ファンを装着可能としている。このことにより、第１の冷却ファンに代えて第２の冷却ファンを装着することが可能であり、また、第２の冷却ファンの着脱に応じて光源の発光輝度を切り換えることができる。
【００１３】
請求項３に記載の発明によれば、切換制御手段は、第２の冷却ファンの装着が検出されたとき、光源の発光輝度を高くすることとしている。このことにより、第２の冷却ファンの装着に応じて光源の発光輝度を高くするよう切り換えることができる。また、光源の発光輝度を高くすることにより該光源等の熱源から発せられる熱がより高温になるような場合であっても、第２の冷却ファンにより熱の排気効率を上昇させることが可能であるため、安定した動作を提供することができる。
【００１４】
請求項４に記載の発明によれば、第２の冷却ファンの風量は、前記第１の冷却ファンの風量より大なることとしている。このことにより、熱の排気を効率的に行うことが可能となるため、排気効率を上昇させることができる。
【発明を実施するための最良の形態】
【００１５】
以下、本発明を実施するための最良の形態を図面を参照して説明する。ただし、本発明の範囲は、図示例に限定されないものとする。
＜第１の実施形態＞
図１は、第１の実施形態におけるプロジェクタ装置１０の外観構成を示すものである。図１に示すように、直方体上の本体ケーシング１１の前面に、投影レンズ１２が配設される。また、本体ケーシング１１の上面には、本体メインキー１３、スピーカ１４が配設される。
【００１６】
投影レンズ１２は、後述するレンズユニット２４で形成された光像をスクリーン等に投影する。
【００１７】
本体メインキー１３は、電源のオン／オフや各種操作を行うためのキーと、その操作状態を点灯／消灯及び点灯色により表示するＬＥＤ（Light Emitting Diode ）等のインジケータと、を有して構成されている。
【００１８】
スピーカ１４は、動画の再生時等の音声を拡張出力する。
【００１９】
本体ケーシング１１の側面Ａには吸気孔部１５が、側面Ｂには排気孔部１６がそれぞれ設けられており、さらに、本体ケーシング１１の側面Ａには、後述する拡張ユニット４０を着脱可能に装着するための結合部１７が設けられている。
【００２０】
吸気孔部１５は、本体ケーシング１１内に冷却風として外気を取り込むために設けられている。吸気孔部１５から取り込まれた冷却風は、本体ケーシング１１に内蔵された後述する光源用ランプ２２等の熱源により高温となるため、この熱を帯びた空気を後述する排気用ファン２６により排気孔部１６から排気することで本体ケーシング内の冷却を行う。
【００２１】
また、本体ケーシング１１の背面には、不図示の入出力コネクタ部及びＡＣアダプタ接続部が設けられている。
【００２２】
入出力コネクタ部は、例えば、パーソナルコンピュータ（Personal Computer；以下、ＰＣという）等の外部の画像出力機器と接続するためのＵＳＢ（Universal Serial Bus）端子、映像入力用のミニＤ−ＳＵＢ端子、Ｓ端子及びＲＣＡ端子、音声入力用のステレオミ二端子等を有して構成されている。
【００２３】
ＡＣアダプタ接続部は、本プロジェクタ装置１０の電源となる不図示のＡＣアダプタからのケーブルを接続するための端子であり、該ＡＣアダプタ接続部を介して外部から電力が供給される。
【００２４】
次に、図２を参照して本第１の実施形態のプロジェクタ装置１０の内部構成を説明する。図２は、プロジェクタ装置１０の上面断面図を示すものである。
【００２５】
プロジェクタ装置１０の本体ケーシング１１内には、該プロジェクタ装置１０全体を制御する不図示の制御部、電源回路等を有した電源基板２１が備えられている。そして、この電源基板２１により制御される光源用ランプ２２が本体ケーシング１１内の中央部付近に備えられ、光源用ランプ２２から発せられた光の進行方向にはその光をＲＧＢの各色に変換するカラーホイール２３が配置されている。
【００２６】
カラーホイール２３を透過した光の進行方向には、画像を投影するためのレンズユニット２４が配置されている。また、プロジェクタ装置１０には、光源用ランプ２２を冷却するために光源用ランプ２２内に吸気孔部１５から取り込まれた空気を流し込むシロッコファン２５とシロッコファン２５により光源用ランプ２２内に流し込まれた空気やプロジェクタ装置１０内の空気をプロジェクタ装置１０内から排気するための排気用ファン２６が備えられている。
【００２７】
また、本体ケーシング１１内の吸気孔部１５付近に後述する拡張ユニット４０の着脱状態を検出する検出部２７が備えられている。
【００２８】
次に、図３を参照して、プロジェクタ装置１０の機能的構成について説明する。プロジェクタ装置１０は、上述した各部に加え、入出力インタフェース（Ｉ／Ｆ）３１、画像変換部３２、画像処理部３３、表示駆動部３４、表示光学系３５、レンズモータ３６、電力供給部３７、制御部３８、音声処理部３９等を有して構成されている。なお、ここで、入出力インタフェース３１、画像変換部３２、画像処理部３３、電力供給部３７、制御部３８の機能は上述した電源基板２１に有しているものとする。
【００２９】
不図示の入出力コネクタ部より入力された各種規格の画像信号は、入出力インタフェース３１、システムバスＳＢを介して画像変換部３２で表示に適した所定のフォーマットの画像信号に統一された後に、画像処理部３３へ出力される。
【００３０】
画像処理部３３は、出力された画像信号を不図示のＲＡＭに展開記憶させた上でこのＲＡＭの記憶内容からビデオ信号を発生して表示駆動部３４に出力する。
【００３１】
表示駆動部３４は、出力された画像信号に対応して適宜フレームレート、例えば、３０（フレーム／秒）でカラーホイール２３や空間的光変調素子（ＳＯＭ）等の表示光学系３５を表示駆動するもので、この表示光学系３５に対し、例えば、超高圧水銀灯等の光源用ランプ２２が出射する白色光を照射することで、その反射光で光像が形成され、上記した投影レンズ１２を介して不図示のスクリーンに投影表示される。
【００３２】
しかるに、上記投影レンズ１２は、レンズユニット２４内に備えられたレンズモータ（Ｍ）３６に駆動されることでズーム位置及びフォーカス位置を適宜移動する。
【００３３】
電力供給部３７は、制御部３８の制御の元、不図示のＡＣアダプタ接続部から供給される電力をプロジェクタ装置１０の各部に供給する。
【００３４】
制御部３８は、ＣＰＵ（Central Processing Unit）、該ＣＰＵで実行される動作プログラムを固定的に記憶したＲＯＭ（Read Only Memory）、ワークメモリとして使用されるＲＡＭ（Random Access Memory）等を有して構成される（何れも不図示）。制御部３８は、上記した各回路の動作全般を統括的に制御する。
【００３５】
具体的に、制御部３８は、拡張ユニット４０が未装着の通常使用時に、光源用ランプ２２に対して電力供給部３７から供給される電力を制御することで、光源用ランプ２２の発光輝度を制限した低輝度モードでプロジェクタ装置１０を動作させる。
【００３６】
また、制御部３８は、拡張ユニット４０が装着された際に検出部２７から出力される装着状態を旨する信号を受信すると、電力供給部３７を制御して光源用ランプ２２に対する電力供給を増加させることで、通常使用時より光源用ランプ２２の発光輝度を高くした高輝度度モードへと切り換えてプロジェクタ装置１０を動作させる。
【００３７】
この制御部３８にはまた、システムバスＳＢを介して音声処理部３９が接続される。
【００３８】
音声処理部３９は、ＰＣＭ音源等の音源回路を備え、投影モード及び再生モード時には音声データをアナログ化し、上記スピーカ１４を駆動して拡声放音させる。
【００３９】
なお、上記本体メインキー１３のキー操作信号は何れも制御部３８へ出力される。
【００４０】
次に、図４を参照して拡張ユニット４０がプロジェクタ装置１０に装着された状態を説明する。
【００４１】
図４に示すように、拡張ユニット４０は、冷却ファン４１を有して構成されており、本体ケーシング１１の吸気孔部１５に連通する部位に結合部１７を介して着脱可能に装着される。この拡張ユニット４０は、結合部１７を介して着脱可能にするために、例えば、爪などを設け、一方結合部１７を爪受け部とすることで、拡張ユニット４０の爪を結合部１７の爪受け部に係合させて着脱する。
【００４２】
また、結合部１７を介して拡張ユニット４０に電力が供給されるものとし、該供給される電力により冷却ファン４１が本体ケーシング１１内に外気を送りこむよう駆動される。なお、拡張ユニット４０に備えられる冷却ファン４１の数は、特に問わないものとし、拡張ユニット４０の形状もこれに限らないものとする。
【００４３】
このように、拡張ユニット４０を装着した状態では、該拡張ユニット４０により本体ケーシング１１内に効率よく外気を取り込むことが可能となるため、本体ケーシング１１内の熱排気を効率良く行うことが可能であり、冷却効率を高めることができる。そのため、光源用ランプ２２の光量を上昇させることにより高輝度モードとしても、安定した動作を行うことが可能となる。
【００４４】
次に、図５を参照して本第１の実施形態のプロジェクタ装置１０の動作について説明する。
【００４５】
まず、プロジェクタ装置１０が本体メインキー１３のキー操作により起動されると、拡張ユニット４０の装着の有無が検出部２７により検出される（ステップＭ１１）。
【００４６】
検出部２７による拡張ユニット４０の着脱状態の検出方法は、特に問わず、例えば、上記した爪受け部にスイッチを設け、該爪受け部に拡張ユニット４０に設けられた爪が係合された際のスイッチ押下による電気的信号を検出することとしてもよい。
【００４７】
ここで、拡張ユニット４０が装着されていない場合には（ステップＭ１１；無）、検出部２７により拡張ユニット４０の装着を旨する信号が制御部３８に出力されないため、制御部３８は通所使用時の低輝度モードで光源用ランプ２２が発光するよう電力供給部３７を制御し（ステップＭ１２）、本処理は終了する。
【００４８】
一方、拡張ユニット４０が装着されている場合には（ステップＭ１１；有）、検出部２７により拡張ユニット４０の装着を旨する信号が制御部３８に出力され、制御部３８は該信号を受信すると、光源用ランプ２２が高輝度モードで発光するよう電力供給部３７を制御し（ステップＭ１３）、本処理は終了する。
【００４９】
なお、本処理では、プロジェクタ装置１０の起動時に拡張ユニット４０の着脱状態を検出することとしたが、これに限らず、プロジェクタ装置１０の起動中であってもよい。
【００５０】
このように、本第１の実施形態によれば、拡張ユニット４０の装着に応じて光源用ランプ２２の発光輝度を切り換えることができる。また、光源用ランプ２２の発光輝度を高くすることにより該光源用ランプ２２等の熱源から発せられる熱がより高温になるような場合であっても、拡張ユニット４０の冷却ファン４１により熱排気効率を上昇させることが可能であるため、安定した動作を提供することができる。
【００５１】
なお、本第１の実施形態では、本体ケーシング１１内に排気用ファン２６が備えられているものとしたが、これに限らず、排気用ファン２６を有しない構成であってもよい。
【００５２】
また、本体ケーシング１１の吸気孔部１５に拡張ユニット４０を装着することとしたが、これに限らず、排気孔部１６に結合部１７が設けられているような場合には、該排気孔部１６に拡張ユニット４０を装着することとしてもよい。その際には、冷却ファン４１は本体ケーシング１１内に外気を送りこむよう駆動されることが好ましい。
＜第２の実施形態＞
次に本発明のプロジェクタ装置の第２の実施形態について説明する。ただし、本第２の実施形態は前述の第１の実施形態と異なる点のみについて説明を行い、前述の第１の実施形態と同様の構成については説明を省略する。
【００５３】
まず、図６を参照して、本第２の実施形態のプロジェクタ装置１０の内部構成を説明する。図６は、プロジェクタ装置１０の上面断面図を示すものである。
【００５４】
ここで、本体ケーシング１１は、図中、破線Ｃで示した位置で分断されており、排気用ファン２６及び排気孔部１６を有する本体ケーシング１１の部分（以下、標準ユニットという）は結合部１７を介して着脱可能に装着されている。この標準ユニットは、結合部１７を介して着脱可能にするために、例えば、爪などを設け、一方結合部１７を爪受け部とすることで、標準ユニットの爪を結合部１７の爪受け部に係合させて着脱する。
【００５５】
また、結合部１７を介して標準ユニットに電力が供給されるものとし、該供給される電力により排気用ファン２６が本体ケーシング１１内から空気を排気するよう駆動される。なお、標準ユニットに備えられる排気用ファン２６の数は、特に問わないものとし、拡張ユニット４０の形状もこれに限らないものとする。
【００５６】
本体ケーシング１１内には、結合部１７に装着される装置が、標準ユニットか後述する拡張ユニットかを判別して検出する検出部２７が配置されており、この検出部２７による検出結果に基づいて制御部３８は光源用ランプ２２を低輝度モード又は高輝度モードで発光させる。
【００５７】
具体的に、制御部３８は、標準ユニットが装着された通常使用時に、検出部２７から出力される標準ユニットの装着状態を示す信号を受信すると、電力供給部３７を制御して光源用ランプ２２に対する電力供給を制御し、光源用ランプ２２の発光輝度を制限した低輝度モードでプロジェクタ装置１０を動作させる。
【００５８】
また、制御部３８は、拡張ユニット４０が装着された際に検出部２７から出力される装着状態を旨する信号を受信すると、電力供給部３７を制御して光源用ランプ２２に対する電力供給を増加させることで、通常使用時より光源用ランプ２２の発光輝度を高くした高輝度度モードへと切り換えてプロジェクタ装置１０を動作させる。
【００５９】
なお、検出部２７による標準ユニット又は拡張ユニット４０の着脱状態の検出方法は、特に問わず、例えば、上記した標準ユニット及び拡張ユニットに設けられる爪の形状をそれぞれ異なるものとし、該爪が爪受け部に係合された際に、その爪の形状に基づいて両者を判別して検出することとしてもよいし、標準ユニット及び拡張ユニットが有する電気抗値の違いから両者を判別して検出することとしてもよいし、
次に、図７を参照して拡張ユニット４０がプロジェクタ装置１０に装着された状態を説明する。
【００６０】
図７に示すように、拡張ユニット４０は、冷却ファン４１を有して構成されており、結合部１７を介して本体ケーシング１１の標準ユニットに代えて着脱可能に装着される。
【００６１】
ここで、拡張ユニット４０に備えられた冷却ファン４１は、排気用ファン２６と同様、本体ケーシング１１内から熱を帯びた気流を排気するよう駆動される。なおここで、冷却ファン４１は、排気用ファン２６の風量よりも大きな風量を有しているものとする。つまり、拡張ユニット４０を取り付けた状態では、標準ユニット使用時に比べ、本体ケーシング１１内の気体を効率的に排気することができるため、冷却効率を高めることができる。そのため、光源用ランプ２２の光量を上昇させることにより高輝度モードとしても、安定した動作を行うことが可能となる。
【００６２】
次に、図８を参照して本第2の実施形態のプロジェクタ装置１０の動作を説明する。
【００６３】
まず、プロジェクタ装置１０が本体メインキー１３のキー操作により起動されると、検出部２７により標準ユニットが装着されているのか、拡張ユニット４０が装着されているのかが判別され検出される（ステップＭ２１）。
【００６４】
ここで、標準ユニットが装着されている場合には（ステップＭ２１；標）、検出部２７により標準ユニットの装着を旨する信号が制御部３８に出力され、制御部３８は該信号を受信すると、光源用ランプ２２が低輝度モードで発光するよう電力供給部３７を制御し（ステップＭ２２）、本処理は終了する。
【００６５】
一方、拡張ユニット４０が装着されている場合には（ステップＭ２１；冷）、検出部２７により拡張ユニット４０の装着を旨する信号が制御部３８に出力され、制御部３８は該信号を受信すると、光源用ランプ２２が高輝度モードで発光するよう電力供給部３７を制御し（ステップＭ２３）、本処理は終了する。
【００６６】
なお、本処理では、プロジェクタ装置１０の起動時に標準ユニット又は拡張ユニット４０の着脱状態を検出することとしたが、これに限らず、プロジェクタ装置１０の起動中であってもよい。
【００６７】
このように、本第２の実施形態によれば、拡張ユニット４０の装着に応じて光源用ランプ２２の発光輝度を切り換えることができる。また、光源用ランプ２２が発する光の輝度を上昇させることにより該光源用ランプ２２等の熱源から発せられる熱がより高温になるような場合であっても、拡張ユニット４０の冷却ファン４１により熱排気効率を上昇させることが可能であるため、安定した動作を提供することができる。
【００６８】
なお、本第２の実施形態では、標準ユニット内に排気用ファン２６が備えられているものとしたが、これに限らず、排気用ファン２６を有しない構成であってもよい。
【００６９】
また、本体ケーシング１１の排気孔部１６に装着された標準ユニットに代えて拡張ユニット４０を装着することとしたが、これに限らず、吸気孔部１５に標準ユニットが装着されている場合には、該標準ユニットに代えて拡張ユニット４０を装着することとしてもよい。その際に、排気用ファン２６及び冷却ファン４１は、本体ケーシング１１内に外気を送りこむよう駆動されることが好ましく、冷却ファン４１の風量が排気用ファン２６の風量より大きいことがより好ましい。
【００７０】
上記実施形態における記述は、本発明に係るプロジェクタ装置の一例を示すものであり、これに限定されるものではない。本実施形態におけるプロジェクタ装置１０の細部構成及び詳細動作に関しては、本発明の趣旨を逸脱しない範囲で適宜変更可能である。
【００７１】
例えば、上記実施形態では、拡張ユニット４０をプロジェクタ装置１０の側面部に着脱可能に装着することとしたが、これに限らず、吸気孔部又は排気孔部がプロジェクタ装置の底面に存在する場合には、拡張ユニット４０を底面に着脱可能に装着することとしてもよいし、吸気孔部又は排気孔部がプロジェクタ装置の背面に存在する場合には、拡張ユニット４０を背面に着脱可能に装着することとしてもよい。
【図面の簡単な説明】
【００７２】
【図１】プロジェクタ装置の外観構成を示す図である。
【図２】第１の実施形態におけるプロジェクタ装置の内部構成を示す図である。
【図３】プロジェクタ装置の機能的構成を示すブロック図である。
【図４】第１の実施形態におけるプロジェクタ装置に拡張ユニットが装着された状態を示す図である。
【図５】第１の実施形態におけるプロジェクタ装置の動作を説明するためのフローチャートである。
【図６】第２の実施形態におけるプロジェクタ装置の内部構成を示す図である。
【図７】第２の実施形態におけるプロジェクタ装置に拡張ユニットが装着された状態を示す図である。
【図８】第２の実施形態におけるプロジェクタ装置の動作を説明するためのフローチャートである。
【符号の説明】
【００７３】
１０  プロジェクタ装置（プロジェクタ装置）
１１  本体ケーシング
１２  投影レンズ
１３  本体メインキー
１４  スピーカ
１５  吸気孔部（吸気孔）
１６  排気孔部（排気孔）
１７  結合部
２１  電源基板
２２  光源用ランプ（光源）
２３  カラーホイール
２４  レンズユニット
２５  シロッコファン
２６  排気用ファン（第１の冷却ファン）
２７  検出部（検出手段）
３１  入出力インタフェース（Ｉ／Ｆ）
３２  画像変換部
３３  画像処理部
３４  表示駆動部
３５  表示光学系
３６  レンズモータ
３７  電力供給部
３８  制御部（切換制御手段）
３９  音声処理部
４０  拡張ユニット
４１  冷却ファン（第２の冷却ファン）
【図１】
2006119285.tif 000003
【図２】
2006119285.tif 000004
【図３】
2006119285.tif 000005
【図４】
2006119285.tif 000006
【図５】
2006119285.tif 000007
【図６】
2006119285.tif 000008
【図７】
2006119285.tif 000009
【図８】
2006119285.tif 000010